(57)【要約】【課題】  薄く腰の弱いカット紙を高速で運転する状況でも、高速搬送手段で紙の損傷や詰まりなどのトラブルが起こらないようにし、長時間連続高速運転を可能とする。【解決手段】  下エアブロー（第１エアブロー２１）と、それに対向する上第１バキュームドラム２２と、その下流側に位置する上第２バキュームドラム２３を備えた高速搬送手段１３を有する印刷機用シータにおいて、カッタシリンダ１９と上第１バキュームドラムの間に、ウエブ又はカット紙の走行方向に向かって前下がりに傾斜するように第１エアガイド５０を設置する。エアガイドの底面には前方にエアを吹き出す多数のノズル穴５０ａが分散形成され、ウエブ又はカット紙を下エアブローによる空気層とエアガイドによる空気層で挟んで走行させる。【選択図】  図３
2005324914.tif 000002
【特許請求の範囲】
【請求項１】
ウエブを取り込むインフィード部と、カッタシリンダでウエブを所定寸法の枚葉に裁断するカット部と、該カット部の下流側に位置する高速搬送手段と、裁断したカット紙を瓦積み状態で搬送する低速搬送手段と、カット紙を積み重ねるスタック部を具備し、前記高速搬送手段は、下エアブローと、それに対向する上第１バキュームドラムと、その下流側で低速搬送手段に対向して上方に位置する上第２バキュームドラムを備え、該上第２バキュームドラムの外周に配列されている剥離用突起によりカット紙の後端部を押し下げてカット紙を高速搬送手段から低速搬送手段に転移させ瓦積み状態にする印刷機用シータにおいて、
カッタシリンダと上第１バキュームドラムの間の走行ウエブ又はカット紙の上方に、紙幅方向に延びる箱状のエアガイドが設置され、該エアガイドは底面がウエブ又はカット紙の走行方向に向かって前下がりに傾斜するように位置し、且つ該エアガイドの底面には前方にエアをフラットに吹き出す多数のノズル穴が分散形成され、走行するウエブ又はカット紙が下エアブローによる空気層とエアガイドによる空気層で挟まれるようにしたことを特徴とする印刷機用シータ。
【請求項２】
エアガイドの底面の傾斜角が１０〜２０度である請求項１記載の印刷機用シータ。
【請求項３】
上第１バキュームドラムと上第２バキュームドラムの間の走行ウエブ又はカット紙の上方に、紙幅方向に延びる箱状の第２エアガイドが、ウエブ又はカット紙の面とほぼ平行に僅かな間隙を介して設置され、該第２エアガイドの底面には前方にエアをフラットに吹き出す多数のノズル穴が分散形成されている請求項１又は２記載の印刷機用シータ。
【発明の詳細な説明】
【技術分野】
【０００１】
本発明は、空気流を利用してウエブ又はカット紙の走行を案内する形式の印刷機用シータに関し、更に詳しく述べると、カッタシリンダの下流側にエアガイドを設置することにより、カッタシリンダの回転に伴うウエブあるいはカット紙先端の跳ね上がりやばたつきを抑え、紙の損傷や紙詰まりを防止し、円滑な高速走行を可能とした印刷機用シータに関するものである。
【背景技術】
【０００２】
印刷機用シータは、印刷機から高速で供給されてくるウエブを取り込む複数のドローローラを備えたインフィード部と、そのウエブをカッタシリンダで所定寸法の枚葉に裁断するカット部と、該カット部の下流側に設けた高速搬送手段と、裁断したカット紙を瓦積み状態で搬送する低速搬送手段と、搬送されてきたカット紙を積み重ねるスタック部などから構成される。このような印刷機用シータは、通常、オフセット輪転印刷機の下流側にオンラインで設備されるが、オフラインで設置されることもある。
【０００３】
ここで高速搬送手段は、カット部と低速搬送手段との間を橋渡しするものであり、ウエブ又はカット紙を緊張状態で高速搬送する機能を有する。例えば、カッタシリンダの下流側に位置する下エアブローと、それに対向する上第１バキュームドラムと、その下流側で低速搬送手段に対向して上方に位置する上第２バキュームドラムなどを備え、該上第２バキュームドラムの外周に回動軸と平行に配列されている剥離用突起により、高速走行するカット紙の後端部を押し下げてカット紙を高速搬送手段から低速搬送手段に転移させ瓦積み状態にする。このような印刷機用シータは、例えば特許文献１などに記載されている。
【０００４】
カッタシリンダを経たウエブ又はカット紙は、下エアブローによる空気層に乗り、上第１バキュームドラムで吸引されつつ上第２バキュームドラムへと送り込まれる。カッタシリンダは、輪転印刷機と同期して５００ｒｐｍ程度で運転する。しかし近年、オフセット輪転印刷機の一層の高速化に伴い、６００〜８００ｒｐｍもしくはそれ以上の速度で運転することも多くなっている。また、印刷するウエブは、経済性などの観点から、薄紙が用いられることが多くなっている。
【０００５】
ところで、カッタシリンダと上第１バキュームドラムとの間、及び上第１バキュームドラムと上第２バキュームドラムとの間は、カット紙を走行させる機構上、ある程度の間隔をあける必要がある。しかし、薄紙を高速で搬送すると、カッタシリンダの回転に同伴する形で走行ウエブの先端が跳ね上がり、角度をもって上第１バキュームドラムに衝突し、そのため走行ウエブの先端が損傷することがある。あるいは走行ウエブの先端が大きくばたついて、上第１バキュームドラムを通過できず、紙詰まりが生じることもある。このようなトラブルは、特に薄く腰の弱い紙を高速で搬送するときに生じ易い。紙詰まりは、紙質や紙厚、及び運転状況などによっては、上第１バキュームドラムの入口側のみならず、上第２バキュームドラムの入口側でも起こりうる。
【０００６】
紙詰まりが生じると、直ちに運転を停止し、詰まった紙を除去しなければならない。高速運転では、損紙の量は著しく、シータ構成部材に大きなダメージを与える恐れもある。なによりも作業効率が著しく低下する。薄紙化傾向・高速化傾向が更に増す今後においては、これらは長時間連続高速運転実現のために避けて通れない大きな技術的課題である。
【特許文献１】特開２００４−２６３４０公報
【発明の開示】
【発明が解決しようとする課題】
【０００７】
本発明が解決しようとする課題は、従来技術では、特に薄く腰の弱いカット紙を高速で搬送する運転状況において、カッタシリンダの回転に伴ってカット部下流側での走行ウエブ先端の跳ね上がりによる損傷、あるいは紙詰まりが起き易い点である。
【課題を解決するための手段】
【０００８】
本発明は、ウエブを取り込むインフィード部と、カッタシリンダでウエブを所定寸法の枚葉に裁断するカット部と、該カット部の下流側に位置する高速搬送手段と、裁断したカット紙を瓦積み状態で搬送する低速搬送手段と、カット紙を積み重ねるスタック部を具備し、前記高速搬送手段は、下エアブローと、それに対向する上第１バキュームドラムと、その下流側で低速搬送手段に対向して上方に位置する上第２バキュームドラムを備え、該上第２バキュームドラムの外周に配列されている剥離用突起によりカット紙の後端部を押し下げてカット紙を高速搬送手段から低速搬送手段に転移させ瓦積み状態にする印刷機用シータにおいて、カッタシリンダと上第１バキュームドラムの間の走行ウエブ又はカット紙の上方に、紙幅方向に延びる箱状のエアガイドが設置され、該エアガイドは底面がウエブ又はカット紙の走行方向に向かって前下がりに傾斜するように位置し、且つ該エアガイドの底面には前方にエアをフラットに吹き出す多数のノズル穴が分散形成され、走行するウエブ又はカット紙が下エアブローによる空気層とエアガイドによる空気層で挟まれるようにしたことを特徴とする印刷機用シータである。ここでエアガイドの底面の傾斜角は、１０〜２０度程度に設定するのが好ましい。
【０００９】
また、上第１バキュームドラムと上第２バキュームドラムの間の走行ウエブ又はカット紙の上方に、紙幅方向に延びる箱状の第２エアガイドを、ウエブ又はカット紙の面とほぼ平行に僅かな間隙を介して設置するのが好ましい。この第２エアガイドの底面にも、前方にエアをフラットに吹き出す多数のノズル穴を分散形成しておく。
【発明の効果】
【００１０】
本発明の印刷機用シータは、カッタシリンダと上第１バキュームドラムの間に、ウエブ又はカット紙の走行方向に向かって前下がりの向きでエアガイドが設置されているので、走行ウエブ先端の跳ね上がりが抑えられ、カット紙は下エアブローによる空気層とエアガイドによる空気層で挟まれて走行する。従って、紙質や紙厚、運転状況に関係なく、ウエブ先端が傷つくことが無いし、また紙詰まりも防止できる。
【００１１】
更に、上第１バキュームドラムと上第２バキュームドラムの間に、第２エアガイドを設置すると、カット紙はより一層安定した状態で走行し、上第２バキュームドラム近傍での紙詰まりも確実に防止できる。これらによって、高速搬送手段での損紙の発生をほぼ完全に無くすことができ、損紙の処理作業も必要ないため、作業効率が向上し、容易に長時間高速連続運転が可能となる。
【発明を実施するための最良の形態】
【００１２】
印刷機用シータは、ウエブを取り込む複数のドローローラを備えたインフィード部と、カッタシリンダでウエブを所定寸法の枚葉に裁断するカット部と、該カット部の下流側に位置する高速搬送手段と、裁断したカット紙を瓦積み状態で搬送する低速搬送手段と、カット紙を積み重ねるスタック部を具備している。ここで高速搬送手段は、下側に位置する第１エアブローと、それに対向する上第１バキュームドラムと、その下流側で低速搬送手段に対向して上方に位置する上第２バキュームドラムを備えている。該上第２バキュームドラムの外周には剥離用突起（例えばブラシ）が回動軸と平行に配列されていて、該剥離用突起によりカット紙の後端部を押し下げてカット紙を高速搬送手段から低速搬送手段に転移させ瓦積み状態にする。
【００１３】
本発明では、カッタシリンダと上第１バキュームドラムの間の走行ウエブ又はカット紙の上方に、紙幅方向に延びる箱状の第１エアガイドを設置する。ここでエアガイドは、その底面がウエブ又はカット紙の走行方向に向かって前下がりに傾斜するように位置する。従って、エアガイドを斜めに傾けて設置してもよいし、底面のみ斜面となっているエアガイドを使用してもよい。エアガイドの底面には、エアを前方に向かってフラットに吹き出す多数のノズル穴を分散形成しておく。エアガイドの底面の傾斜角は１０〜２０度（典型的には１５度程度）に設定する。従ってエアは前方斜め下向きに（エアガイドの底面に沿って）吹き出すことになる。
【００１４】
更に、上第１バキュームドラムと上第２バキュームドラムの間の走行ウエブ又はカット紙の上方にも、紙幅方向に延びる箱状の第２エアガイドを、ウエブ又はカット紙の面とほぼ平行に僅かな間隙を介して設置する。この第２エアガイドの底面にも、エアを前方に向かってフラットに吹き出す多数のノズル穴を分散形成しておく。
【００１５】
このように構成すると、ウエブ又はカット紙は、下エアブローによる空気層と第１及び第２のエアガイドによる空気層で挟まれて走行するような状態となり、跳ね上がったりばたつくのが抑えられ、バキュームドラムなどに対して予定された接線方向に進むことが可能になり、安定した走行状態を維持でき紙詰まりを防止できる。特に第１エアガイドは、走行ウエブの先端が大きく跳ね上がるのを抑え込み、上第１バキュームドラムへの衝突による損傷、及び紙詰まりを防止する。エアガイドの底面の傾斜角を１０〜２０度としたのは、その程度の傾斜角度が走行ウエブ先端の損傷防止、及び紙詰まりの防止に特に有効だからである。
【実施例】
【００１６】
まず印刷機用シータ全体について概略説明する。図１に印刷機用シータの一例の全体構成を示す。この印刷機用シータは、オフセット輪転印刷機（図示せず）から高速で排出されてくるウエブを取り込むインフィード部１０と、取り込んだウエブ１１を所定寸法の枚葉に裁断するカット部１２と、該カット部１２の下流側に設けた高速搬送手段１３と、カット紙を瓦積み状態で搬送する低速搬送手段１４と、カット紙１５を積み重ねるスタック部１６を具備し、全体が筐体１７で覆われている。高速搬送手段１３と低速搬送手段１４を図２に示す。
【００１７】
インフィード部１０は、複数のフリーローラ、ドローローラ、ニップローラなどからなるウエブ取り込み機構と各種センサ等を有し、輪転印刷機から高速で排出されるウエブ１１を適切にカット部１２に送り込む部分である。カット部１２は、下側の固定刃１８と、上側のカッタシリンダ１９に装着された回転刃２０を有し、輪転印刷機と同速で回転することでウエブ１１を所定寸法の枚葉に裁断する部分である。次の高速搬送手段１３は、主として、下側の第１エアブロー２１、上第１バキュームドラム２２、上第２バキュームドラム２３などを具備し、ウエブ１１を緊張状態で搬送することでカット部１２での裁断精度を向上させると共に、裁断後のカット紙後端部を同期回転する剥離用突起２４で低速搬送手段１４側に押し付ける部分である。
【００１８】
低速搬送手段１４は、前方の先端プーリ２５及びテンションプーリ２６と、後方のバキュームドラム２７の間にバキュームベルト２８を掛け渡し、該バキュームベルト２８の内側上部にバキュームボックス２９を設置すると共に、上側に第２エアブロー３０を設置した構造である。これによって、カット紙の速度はウエブライン速度の１／１０〜１／２０程度に減速される。剥離用突起２４で押し付けられたカット紙が互いに一部オーバラップした瓦積み状態となり、カット紙後端側の４０ｍｍ程度がバキュームベルト２８に吸着されつつ、カット紙先端部上面を上側の第２エアブロー３０によるコアンダ効果で引かれ、次のスタック部１６へと順次搬送される。
【００１９】
スタック部１６は、入口部に立設した２本の棒状の紙ガイド３４と、出口部で各紙ガイド３４にそれぞれ対向して位置する２個の出口ジョガー３５と、カット紙の走行方向の左右に位置する一対の幅可変方式のサイドジョガー３６を具備し、それらによってスタック部１６に入ってくるカット紙が揃えられ、下部に位置するパレット３７上に積み重ねられる。パレット３７は、スタック部１６の底部に位置するメインパイル昇降プレート３８上に設置され、メインパイル昇降機構で駆動される。これによって、パレット３７上のカット紙１５の上面レベルをほぼ一定に保ちつつ自動降下できるようになっている。
【００２０】
低速搬送手段１４のバキュームボックス３０の下方に仮積みフォーク４２が位置する。仮積みフォーク４２は、メインパイル（パレット上に積み上げられているカット紙）を取り出す場合、スタック部に挿入して、搬送されてくるカット紙を一時的に受け止め、その間にメインパイルをパレットごと取り出し、次に新しいパレットをスタック部に設置できるようにするものである。
【００２１】
次に、本発明の要部を構成している高速搬送手段１３について、図３により更に詳しく説明する。前述のように、高速搬送手段１３は、カット部１２の下流側に位置しており、下側に位置する第１エアブロー２１、該第１エアブロー２１に対向する上第１バキュームドラム２２、その下流側に位置し低速搬送手段のバキュームドラム２７に対向する上第２バキュームドラム２３を具備している。更に本発明では、カッタシリンダ１９と上第１バキュームドラム２２の間の走行ウエブ又はカット紙の上方に紙幅方向に延びる箱状の第１エアガイド５０を設置すると共に、上第１バキュームドラム２２と上第２バキュームドラム２３の間の走行ウエブ又はカット紙の上方に紙幅方向に延びる箱状の第２エアガイド５２を設置する。図４は、第１エアガイド５０及び第２エアガイド５２を平面的に示している。なお、上第１バキュームドラム２２に近接してその下流側に第１巻き込み防止プレート５４を、また上第２バキュームドラム２３に近接してその下流側に第２巻き込み防止プレート５６をそれぞれ設ける（図２参照）。
【００２２】
第１エアブロー２１は、カット部１２の固定刃１８のすぐ下流側でウエブ又はカット紙の直下３mm程度離れた位置から、ほぼ水平もしくはウエブ又はカット紙の流れ方向に向かって極く僅かに下り傾斜を付けて設けられる。幅方向に８〜１０本に分割された角パイプ状のエアブローを僅かな隙間をおいて並べてもよいが、この実施例では１つの分割無しの箱状のエアブローとしている。カット紙流れ方向に対する長さは、概略、上第１バキュームドラム２２のやや後方迄とするが、上面はガイドプレート２１ａとして上第２バキュームドラム２３の近傍まで延設している。第１エアブロー２１の上面にはウエブの走行方向に多数のエア吹出口２１ｂを形成し、送風機（図示せず）からダクト５８を通じて送風し、各エア吹出口２１ｂからカット紙下面の流れ方向に向かってフラットな高速空気流を形成する。この高速空気流のコアンダ効果により、カッタシリンダ１９によってその回転方向に跳ね上がろうとするウエブの先端を第１エアブロー２１に引き寄せながら下流方向に搬送する。ここでは、カッタシリンダ１９と上第１バキュームドラム２２の間のカッタシリンダ寄りの区間、及び上第１バキュームドラム２２と上第２バキュームドラム２３の間の上第１バキュームドラム寄りの区間に、エア吹き出し口２１ｂを１０〜１２列に分散配設している。
【００２３】
さて、第１エアガイド５０は、紙幅方向に延びる箱状をなし、カッタシリンダ１９と上第１バキュームドラム２２の間で、下側の第１エアブロー２１に対向して上側に位置し、しかも底面がウエブ又はカット紙の走行方向に向かって前下がりに傾斜するように（傾斜角１０〜２０度で）設置される。この第１エアガイド５０の底面には、前方にエアを吹き出す多数のノズル穴５０ａが分散形成されている。送風機（図示せず）からダクト５０ｂを通じて送風し、各ノズル穴５０ａからエアガイド底面に沿って（即ち、前方下向きに）フラットな高速空気流を吹き出す。
【００２４】
カッタシリンダ１９の回転に伴って跳ね上がろうとするウエブ先端は、第１エアブロー２１で引き寄せられるが、紙質や紙厚、運転状況などによって引き寄せきれず舞い上がるような場合でも、第１エアガイド５０の各ノズル穴５０ａから高速空気流が吹き出されているので、カッタシリンダ１９近傍から各ノズル穴５０ａ方向に向かってウエブ先端上面を流れるように生じる空気流で抑えられ、下向き前方に案内される。そして、ウエブ又はカット紙は、第１エアブロー２１による空気層と第１エアガイド５０による空気層で挟まれて上第２バキュームドラム２２へと導かれる。そのガイド機能を更に有効にするため、第１エアガイド５０の先端には、第２バキュームドラム２２の極近傍まで延びるガイドプレート５０ｃを設ける。
【００２５】
次に、上第１バキュームドラム２２は、カット部１２の下流側のウエブ又はカット紙の上部に位置し、回転するバキュームドラム本体６０及び中空固定軸６１などから構成される。バキュームドラム本体６０の表面には多数の吸引孔６２が開口し内側まで貫通している。中空固定軸６１は、軸方向に一直線上に１０数個の通気孔６２を貫通させ、その両側に軸方向に平行な溝を２本設けてある。溝の中には波状のスプリング６３を介してセパレータ６４を入れてある。このセパレータ６４と両側のラビリスシールによって１つの空間を形成し、中空固定軸６１の一方の開口端に排風機からのダクトを接続する。排風機の作動により中空固定軸６１の通気孔６２と両セパレータ６４の範囲内のバキュームドラム本体６０の吸引孔を通じてウエブ又はカット紙を吸着する。通気孔と連通していない大部分の吸引孔からの吸引はない。
【００２６】
上第１バキュームドラム２２は、駆動タイミングプーリによってライン速度より約１．５％速い周速度で回転する。カット部１２を通過したウエブの先端はバキュームドラム本体６０に吸着されつつ下流側に送られる。この時、上第１バキュームドラム２２の周速度がウエブライン速度より若干速いのでウエブは緊張する。そこでカット部１２で裁断されるのでカット紙の寸法は常に一定となる。カット紙は、上第１バキュームドラム２２の周速度がウエブ速度より速いのでカット紙とウエブ先端の距離は少しずつ離れる。これが剥離用突起２４によるカット紙転移位置でのカット紙とウエブの干渉を無くしている。
【００２７】
またバキュームドラム本体６０の外周には巻き込み防止用の凹状溝が２０数本設けられており、第１巻き込み防止プレート５４と協働してウエブの先端が直進するようにしている。第１巻き込み防止プレート５４は、上第１バキュームドラム２２のすぐ下流側に位置し、その櫛部先端をバキュームドラム本体６０の凹状溝に差し込むことで、ウエブの先端がバキュームドラム本体６０に巻付いたまま上方に行くのを防止しつつ第１エアブロー２１の高速空気流に乗せてコアンダ効果で上第２バキュームドラム２３方向に搬送させる役割を果たす。
【００２８】
更に、第２エアガイド５２は、紙幅方向に延びる箱状であって、上第１バキュームドラム２２と上第２バキュームドラム２３の間に、ウエブ又はカット紙の面とほぼ平行に僅かな間隙を介して上方に設置される。この第２エアガイド５２は、第１エアブロー２１のガイドプレート２１ａの部分の直上に位置している。第２エアガイド５２の底面にも前方にエアを吹き出す多数のノズル穴５２ａが分散形成されている。送風機（図示せず）からダクト５２ｂを通じて送風し、各ノズル穴５２ａから第２エアガイド底面に沿って（即ち、前方に）フラットな高速空気流を吹き出す。高速走行するカット紙は、下エアブロー２１による空気層と第２エアガイド５２による空気層で挟まれて、ばたつくことなく上第２バキュームドラム２３へと導かれる。この第２エアガイド５２にも、下流側にガイドプレート５２ｃが設けられ、それによってガイド効率を高めている。
【００２９】
また、上第２バキュームドラム２３は、上第１バキュームドラム２２の下流側でカット部１２の固定刃１８からカット紙長さ以内の位置に設けられる。この上第２バキュームドラム２３は、バキュームドラム本体６５、剥離用突起２４、中空固定軸６６などから構成される。バキュームドラム本体６５の表面には、剥離用突起取り付け位置を除いて多数の吸引孔６９が開口し内側まで貫通している。中空固定軸６６は軸方向に一直線上に十数個の通気孔を貫通させ、その両側に軸方向に平行な溝を２本設けてある。溝の中には波状のスプリング７４を介してセパレータ７５を収容してある。このセパレータ７５と両側のラビリンスシールによって１つの空間を形成し、中空固定軸６６の一方の開口端に排風機からのダクトを接続する。排風機の作動により中空固定軸６６の通気孔７０と両セパレータ７５の範囲内の吸引孔を通じてウエブ又はカット紙を吸着する。通気孔と連通しない大部分の吸引孔からの吸引は生じない。
【００３０】
上第２バキュームドラム２３は、駆動タイミングプーリによってウエブライン速度より約２％速い周速度で回転する。カット部１２を通過したウエブ先端は、上第１バキュームドラム２２によって吸着されつつ下流側に送られ、次に上第２バキュームドラム２３によって吸着されて、更に緊張状態でカット部１２で裁断される。上第１バキュームドラム２２での中間的な引っ張りと合わせて上第２バキュームドラム２３で全体として更に確実に引かれつつ裁断されるので、裁断精度が安定した形で確保される。
【００３１】
上第２バキュームドラム２３のすぐ下流側にも第２巻込み防止プレート５６が位置し、これによってウエブ又はカット紙の先端がバキュームドラム本体６５に巻付いたまま上方に行くのを防止しつつ第２エアブロー３０への受け渡しが円滑にできるようにし、第２エアブロー３０の高速空気流に吸引させるコアンダ効果でスタック部上方にカット紙を搬送させる。
【００３２】
以上、本発明の好ましい一実施例について詳述したが、本発明はかかる構成に限られるものではない。前提となる印刷機用シータの具体的構成（例えばインフィード部、カット部、低速搬送手段など）は任意であってよい。エアガイドの構造や取り付け角度、エアノズルの個数や配列状況などは適宜変更できる。
【図面の簡単な説明】
【００３３】
【図１】印刷機用シータの一例の全体概略構成を示す説明図。
【図２】その高速搬送手段及び低速搬送手段の概略構成図。
【図３】高速搬送手段の詳細説明図。
【図４】エアガイドの平面図。
【符号の説明】
【００３４】
１０  インフィード部
１１  ウエブ
１２  カット部
１３  高速搬送手段
１４  低速搬送手段
１５  カット紙
１６  スタック部
１９  カッタシリンダ
２１  第１エアブロー
２２  上第１バキュームドラム
２３  上第２バキュームドラム
３７  パレット
４２  仮積みフォーク
５０  第１エアガイド
５２  第２エアガイド
【図１】
2005324914.tif 000003
【図２】
2005324914.tif 000004
【図３】
2005324914.tif 000005
【図４】
2005324914.tif 000006